(57)【要約】      （修正有）【課題】簡易な構成で、ドアの開閉動作を安全に行うことができるドア隙間開口カバーを提供する。【解決手段】ドアの開閉に伴いドアを押し開く側の蝶番側におけるドア枠２０，３０とドア本体４０との間に生じる危険な隙間の開閉を覆い、前記蝶番が設けられている側の角部との接触を回避するように湾曲して形成されることを特徴とする。【選択図】図１
0003151832.tif 000002
【実用新案登録請求の範囲】
【請求項１】
ドア枠に蝶番を介して回転自在に取り付けられたドア本体の開閉動作を行う際に、押し開く側における前期蝶番側の前記ドア枠と前記ドア本体との間に生じる隙間を覆うためのドア隙間開口カバーにおいて、
前記ドア本体の開閉動作を行う際、前記ドア本体のうち、前記蝶番が設けられている側の角部との接触を回避するようにして湾曲して形成され、ドア枠側の側端部が前記ドア枠又は前記ドア枠周辺の所定位置に取り付けられ、前記ドア本体と同方向に回転する機能を持った、あるいは持たせることができ、且つ前記ドア本体に取り付けられる側の側端部が上から下まで一律に円柱形状に形成されたカバーと、
前記カバーのうち、少なくとも、前記ドア本体に取り付けられる側における側端部の上端の円形部分の中心部分に設けられたピンと、
前記ドア本体の押し開く側の面のうち、少なくとも、前記蝶番が取り付けられている側の前記カバーの上端位置に対応する角部付近に設けられたレールと、
前記レールの長手方向に沿って下方に開口するように形成され、前記ピンが挿入される溝と
を備えることを特徴とするドア隙間開口カバー。
【請求項２】
前記カバーは、
前記ドア本体に取り付けられる側の端部が円柱形状になるように形成された
ことを特徴とする請求項１に記載のドア隙間開口カバー。
【請求項３】
前記カバーは、
前記ピンが設けられた部分を除く部分を外側に伸張させるように形成された
ことを特徴とする請求項１に記載のドア隙間開口カバー。
【考案の詳細な説明】
【技術分野】
【０００１】
本考案は、ドア隙間開口カバーに関する。
【背景技術】
【０００２】
ドアを開けた際に蝶番付近に生じる隙間に、例えば手や足などの身体の一部が差し込まれた状態で、ドアが閉められると、重大な事故を引き起こすおそれがある。そこで、かかる事故を未然に防止するため、種々の装置が提案及び開発されている（例えば特許文献１及び２参照）。
【先行技術文献】
【特許文献】
【０００３】
【特許文献１】実登３０１２３８５号
【特許文献２】特開２００８−１９０１５４号公報
【考案の概要】
【考案が解決しようとする課題】
【０００４】
本考案は、簡易な構成で、ドアの開閉に伴いドアを押し開く側の蝶番側におけるドア枠とドア本体との間に生じる危険な隙間の開閉を覆い、ドアの開閉動作を安全に行うことができるドア隙間開口カバーを提供することを目的とする。
【課題を解決するための手段】
【０００５】
本考案の一態様によるドア隙間開口カバーは、
ドア枠に蝶番を介して回転自在に取り付けられたドア本体の開閉動作を行う際に、押し開く側の前期蝶番側における前記ドア枠と前記ドア本体との間に生じる隙間を覆うためのドア隙間開口カバーにおいて、
前記ドア本体の開閉動作を行う際、前記ドア本体のうち、前記蝶番が設けられている側の角部との接触を回避するようにして湾曲して形成され、ドア枠側の側端部が前記ドア枠又は前記ドア枠周辺の所定位置に取り付けられ、前記ドア本体と同方向に回転する機能を持った、あるいは持たせることができ、且つ前記ドア本体に取り付けられる側の側端部が上から下まで一律に円柱形状に形成されたカバーと、
前記カバーのうち、少なくとも、前記ドア本体に取り付けられる側における側端部の上端の円形部分の中心部分に設けられたピンと、
前記ドア本体の押し開く側の面のうち、少なくとも、前記蝶番が取り付けられている側の前記カバーの上端位置に対応する角部付近に設けられたレールと、
前記レールの長手方向に沿って下方に開口するように形成され、前記ピンが挿入される溝と
を備える。
【考案の効果】
【０００６】
本考案のドア隙間開口カバーによれば、簡易な構成で、ドアの開閉に伴いドアを押し開く側の蝶番側におけるドア枠とドア本体との間に生じる危険な隙間の開閉を覆い、ドアの開閉動作を安全に行うことができる。
【図面の簡単な説明】
【０００７】
【図１】本考案の実施の形態によるドア隙間開口カバーの構成を示す斜視図である。
【図２】ドア本体及びドア枠の接続部分の具体的な構成を示す斜視図である。
【図３】カバーのドア枠への取り付け形態を例示した斜視図である。
【図４】ドア枠の形態を例示した斜視図である。
【図５】ドア本体にレールが取り付けられた様子を示す斜視図である。
【図６】カバーの側端部を示す斜視図である。
【図７】カバーの側端部とピンの具体的な構成を示す斜視図である。
【図８】レールとピンの連結した構成を示す斜視図と断面図である。
【図９】ドア本体を閉状態から開状態に遷移させる様子を示す側面図である。
【図１０】ドア本体とカバーの位置により変化する角度を示す側面図である。
【図１１】ドア本体と取り付けられたカバーの様子を示す側面図である。
【図１２】他の実施の形態におけるカバーの構成を示す側面図である。
【考案を実施するための形態】
【０００８】
以下、本考案の実施の形態について図面を参照して説明する。本考案は全体を通して左押し開きドアで説明するが、右押し開きドアにおいてもすべて左右入れ替えて考えればよい。
【０００９】
図１に、本考案の実施の形態によるドア１０の構成を示す。このドア１０は、例えば住居の通路出入口などに設置され、天井側と左右互いに対向するように配置された凸型形状のドア枠２０及び３０のうち、ドア枠３０にドア本体４０を取り付けることにより形成される。
【００１０】
より具体的には、図２に示すように、ドア本体４０は、蝶番５０を介してドア枠３０に回転自在に取り付けられ、取っ手４５が操作されることに応じて、蝶番５０を回転軸として回転することにより、開閉動作を行う。
【００１１】
ところで、ドア本体４０は押し開く側と引き開ける側に分かれるが、本実施の形態の場合、ドア本体４０の開閉動作を行う際に、ドア本体４０を押し開く側における蝶番側のドア本体４０とドア枠３０との間に生じる隙間７０を覆うために、カバー８０が取り付けられている。このカバー８０の材質は、ＡＢＳ樹脂などの合成樹脂を用いる。カバー８０は隙間７０と反対側の面を所定の曲率で湾曲するようにして、半円筒状に形成されている。カバー８０で覆う範囲は、カバーの上位置が決定されたら、ドア本体４０の下端部までもってくる。
【００１２】
カバー８０は、図３（Ａ）〜（Ｂ）の回転具６０などでドア枠側の側端部が前記ドア枠又は前記ドア枠周辺の所定位置に取り付けられ、前記ドア本体４０と同方向に回転する機能により、ドア本体４０が開閉動作を行うことに対応するようにして回転する。
この種の機能を持った取り付け方法はすでに一般的かつ多種多様であり、カバー８０に回転運動を持たせつつ所定の位置に固定するという機能は既存の技術をもちいる。
【００１３】
なお、ドア枠の構造において、図２のようにドア枠３０のドア枠凸部３０Ａのタイプの他、図４（Ａ）のようにドア枠凸部３０Ａが半凸型のもの、図４（Ｂ）のようにドア枠凸部３０Ａが薄型のものなどもある。また、ドア枠３０が鉄製で回転具６０が取り付け困難なものもあり、隣接する壁面の方が取り付けに適している場合もある。要は、カバー８０の片方の側面は各々ドア枠の構造及び材質により適宜、機能的に最適な位置に取り付ければよい。
【００１４】
一方、図５のようにドア本体４０の押し開く側の面のうち、蝶番５０が設けられている側のカバー８０の上端位置に対応する角部付近には、レール９０が取り付けられる。
【００１５】
レール９０には、溝９０Ａが、レール９０の長手方向に沿って、下方に開口するように形成される。
【００１６】
図６に示すように、カバー８０のドア本体４０に取り付けられる側の側端部８０Ａは、上から下まで一律に円柱形状に形成されている。
【００１７】
図７（Ａ）〜（Ｃ）に示すようにカバー８０のうち、ドア本体４０に取り付けられる側における側端部８０Ａの上端の円形部分の中心点を中心に、ピン１００が円形部分の面と垂直に上向きに設けられる。
【００１８】
図８（Ａ）に示すように、カバー８０に設けられたピン１００は、溝９０Ａを通じてレール９０内部に挿入され、カバー８０がドア本体４０から離れようとする力を抑えられ、常にドア本体４０との接続が保持される。
【００１９】
これにより、取っ手４５が操作されることによって、ドア本体４０の開閉動作が行われると、ピン１００は、ドア本体４０の開閉動作に対応するようにして、レール９０の溝９０Ａを摺動する。
【００２０】
参考までに、ピン１００をステンレスや亜鉛メッキした鉄の針などにして、レール９０をＡＢＳ樹脂などの合成樹脂にすると、ほとんど摩擦抵抗を生じないでピン１００はレール９０を摺動する。
【００２１】
ここで図９（Ａ）〜（Ｃ）に、ドア本体４０を閉状態から開状態に遷移させる様子を示す。図９（Ａ）に示すように、ドア本体４０が閉状態にある場合には、ピン１００は、レール９０に形成された溝９０Ａのうち、ドア枠２０側の端部付近に位置する。
【００２２】
この状態において、取っ手４５を操作することにより、ドア本体４０を開けようとすると、ピン１００は、ドア枠３０側に向かって、レール９０の溝９０Ａを摺動する。
【００２３】
図９（Ｂ）に示すように、ドア本体４０が、閉状態から４５°開いた開状態に遷移すると、ピン１００は、レール９０に形成された溝９０Ａの略中央付近に位置する。
【００２４】
図９（Ｃ）に示すように、さらにドア本体４０を開けようとすると、ピン１００は、ドア枠３０側に向かって溝９０Ａを摺動し続け、ドア本体４０が９０°開いた開状態に遷移し開動作を停止する時点で、ドア枠３０側の端部付近に到達する。
カバー８０の大きさ・形状を変えることによって、１８０°ドアが開いた状態まで、遷移することが可能となる。
【００２５】
図１０（Ａ）〜（Ｃ）に示すように摺動する間、カバー８０とドア本体４０がつくる角度が変わる。側端部８０Ａが角張っていると、カバー８０とドア本体４０との間隔１１０はカバー８０とドア本体４０の接する角度によって一定でなくなり、カバー８０とドア本体４０が、接触することにもなる。側端部８０Ａを円柱形状に形成し、ピン１００が円形部分の中心をもって設けられることにより、ピン１００がレール９０の溝９０Ａを摺動する間、カバー８０とドア本体４０との間隔１１０を、常に一定の距離に保つことができる。
【００２６】
その際、図１１に示すように円柱形状の側端部８０Ａの外径を、当該側端部８０Ａがドア本体４０に接触しない程度にまで大きくすれば、カバー８０とドア本体４０との間隔１１０をより小さくすることができ、これにより手や足の指が引き込まれることを確実に防止することができる。
【００２７】
また、ドア本体４０の開閉動作を行う際には、図９（Ａ）〜（Ｃ）に示すようにドア本体４０のうち、蝶番５０及び６０が設けられている側の角部４０Ａが張り出すため、カバー８０は、少なくとも、ドア本体４０の角部４０Ａと接触しない程度の曲率で湾曲するように、半円状に形成されている。
【００２８】
このように本実施の形態によれば、ドア本体４０の開閉動作を行う際に、ドア本体４０とドア枠３０との間に生じる隙間７０を覆うようにして、カバー８０を設けることにより、どんなに隙間７０が開いても、カバー８０によって当該隙間７０に身体の一部などが差し込まれることを防止することができ、従って簡易な構成でドア本体４０の開閉動作を安全に行うことができる。
【００２９】
因みに、本実施の形態の場合、ドア隙間開口カバーは、ドア枠側の側端部がドア枠又はドア枠周辺の所定位置に取り付けられドア本体と同方向に回転する機能を持った、あるいは持たせることができ、さらにピン１００が設けられたカバー８０、溝９０Ａが形成されたレール９０を有する。また、ドアには右開き左開きと二種類あるが、どちらの開き方のドアでも形態は同じである。
【００３０】
ピン１００は、カバー８０の側端部８０Ａの円柱形部分をそのまま上に延長してピン状にしても良い。
【００３１】
また、カバー８０の側端部８０Ａを円柱形上にすることなく、カバー８０の肉厚のまま円形の丸みを持たせた側端部にして、その丸み部分をそのまま上に延長してピン状にしても良い。
【００３２】
図１２に示すようにピン１００は、ピン１００にピン１００より径の大きいキャップ部分１００Ａを取り付けても良く、さらに当該キャップ部分１００Ａは回転自在にしても良い。
【００３３】
キャップ部分１００Ａを設けた場合でキャップ部分１００Ａが回転自在の場合には取っ手４５が操作されることによって、ドア本体４０の開閉動作が行われると、ピン１００のキャップ部分１００Ａは、ドア本体４０の開閉動作に対応するようにして、僅かに回転しながらレール９０の溝９０Ａを摺動する。
【００３４】
カバー８０は、ドア本体４０の角部４０Ａと接触しなければ、どのような形状にしてもよく、一部角形状のような変形形状に形成されても良い。
【００３５】
カバー８０のうち、側端部８０Ａの下端の円形部分の中心部分にピンを下向きに設け、ドア本体４０の下端角部付近には、レールを取り付け、上下のレールの溝を互いに対向するように配置し、下端のピンも上部のピン１００と同時にレールに摺動するようにしてもよい。
【符号の説明】
【００３６】
１０  ドア
２０、３０  ドア枠
３０Ａ  ドア枠凸部
４０  ドア本体
４０Ａ  ドア本体角部
４５  取っ手
５０  蝶番
６０  回転具
７０  隙間
８０  カバー
８０Ａ  カバー側端部
９０  レール
９０Ａ  溝
１００  ピン
１００Ａ  ピンキャップ部分
１１０  カバーとドア本体との間隔
【図１】
0003151832.tif 000003
【図２】
0003151832.tif 000004
【図３】
0003151832.tif 000005
【図４】
0003151832.tif 000006
【図５】
0003151832.tif 000007
【図６】
0003151832.tif 000008
【図７】
0003151832.tif 000009
【図８】
0003151832.tif 000010
【図９】
0003151832.tif 000011
【図１０】
0003151832.tif 000012
【図１１】
0003151832.tif 000013
【図１２】
0003151832.tif 000014